(57)【特許請求の範囲】
【請求項１】
下側の野地と、
上側の野地と、
前記下側の野地と前記上側の野地との間に配置され、前記上側の野地に接する複数の断熱材と、
を備え、
前記断熱材は、棟で連続し、かつ前記棟の両側に配置され、
前記断熱材は、軒棟方向に伸びる通気溝を上面に有し、
前記棟における前記上側の野地と前記断熱材との間には、前記棟に沿って伸びて、前記通気溝と連通し、かつ外部に連通する通気路が設けられ、
前記棟において隣り合う前記断熱材の前記棟側の端部には、鉛直面と、当該鉛直面と交差する上端面とが形成されており、
前記棟において隣り合う一対の前記断熱材は、前記鉛直面同士で面接触し、
前記通気路は、前記断熱材の前記上端面と前記上側の野地との間に形成されている、
屋根の棟構造。
【発明の詳細な説明】
【技術分野】
【０００１】
本発明は、屋根の棟構造に関する。より詳細には、断熱層を有する屋根の棟構造に関する。
【背景技術】
【０００２】
従来、屋根の断熱性を高めるため、野地（下側の野地）の上に断熱材から形成される断熱層を配置し、断熱層の上に通気層を設け、通気層の上にさらに野地（上側の野地）を配置した屋根の下地構造が提案されている（たとえば特許文献１）。このような上下に野地が設けられた構造は、二重野地構造と呼ばれている。二重野地構造は、上下の野地の間に断熱層が配置されることで、建物の外部と内部との間の熱の伝導が抑制され、断熱性が向上する。
【先行技術文献】
【特許文献】
【０００３】
【特許文献１】特開２０１３−１９９７９７号公報
【発明の概要】
【発明が解決しようとする課題】
【０００４】
二重野地構造では、結露対策が十分でない場合など必要に応じて断熱材と野地との間に通気層を形成する。
【０００５】
しかしながら、通気層を形成するための施工は、一般的に、工程数が多くなりやすく、施工が難しくなるおそれがあり、材料コストも高くなる可能性がある。これは、断熱材と野地との間に通気層分の隙間を形成するための垂木や桟木などの部材を余分に使用することが求められ、さらに通気層となる空間を確保しながらその上に野地（上側の野地）を安定に設置することを要するからである。そのため、より簡単に施工でき、結露の防止が可能で、断熱性の高い屋根の下地構造が求められる。特に、屋根の棟部分は、二方向からの屋根面が突き合わされて屋根の傾斜が変化する部分であり、通気が滞らないことが重要である。
【０００６】
本発明の目的は、簡単に施工でき、結露の防止が可能で、断熱性の高い屋根の棟構造を提供することにある。
【課題を解決するための手段】
【０００７】
本発明に係る屋根の棟構造は、下側の野地と、上側の野地と、前記下側の野地と前記上側の野地との間に配置され、前記上側の野地に接する複数の断熱材と、を備え、前記断熱材は、棟で連続し、かつ前記棟の両側に配置され、前記断熱材は、軒棟方向に伸びる通気溝を上面に有し、前記棟における前記上側の野地と前記断熱材との間には、前記棟に沿って伸びて、前記通気溝と連通し、かつ外部に連通する通気路が設けられ、前記棟において隣り合う前記断熱材の前記棟側の端部には、鉛直面と、当該鉛直面と交差する上端面とが形成されており、前記棟において隣り合う一対の前記断熱材は、前記鉛直面同士で面接触し、前記通気路は、前記断熱材の前記上端面と前記上側の野地との間に形成されている。
【発明の効果】
【０００８】
本発明によれば、簡単に施工でき、結露の防止が可能で、断熱性の高い屋根の棟構造を得ることができる。
【図面の簡単な説明】
【０００９】
【図１】屋根の棟構造の第１実施形態を示す断面図である。
【図２】屋根の棟構造の第１実施形態を示す斜視図である。
【図３】屋根の棟構造の第１比較例を示す断面図である。
【図４】屋根の棟構造の第１実施形態の変形例を示す斜視図である。
【図５】屋根の棟構造の第２実施形態を示す断面図である。
【図６】屋根の棟構造の第２実施形態を示す斜視図である。
【図７】屋根の棟構造の第２比較例を示す断面図である。
【図８】屋根の棟構造の第２実施形態の変形例を示す斜視図である。
【発明を実施するための形態】
【００１０】
図１及び図２は、屋根の棟構造の第１実施形態を示している。図５及び図６は、屋根の棟構造の第２実施形態を示している。図１及び図５は、棟１が伸びる方向と垂直な方向での断面を示している。図１及び図５では、通気溝４１の底部を破線で示し、ルーフィング７を２点破線で示している。図２及び図６は、構造を一部分解し、上側の野地５の一部を除いた様子を示している。
【００１１】
上記形態の屋根の棟構造は、下側の野地２と、上側の野地５と、下側の野地２と上側の野地５との間に配置され、上側の野地５に接する断熱層４とを備えている。断熱層４は、棟１で連続している。断熱層４は、軒棟方向に伸びる通気溝４１を上面に有している。棟１における上側の野地５と断熱層４との間に、棟１に沿って伸びて、通気溝４１と連通し、かつ外部に連通する通気路６が設けられている。
【００１２】
上記形態の屋根の棟構造は、断熱層４に通気溝４１が設けられ、棟１に通気溝４１と連通する通気路６が設けられることで、通気溝４１を通って流れる湿気を、通気路６を通して外部に逃がすことができる。そのため、屋根内部の水分を除去することができ、結露を防止することができる。また、断熱層４は、棟１において連続するため、棟１で断熱性が低下することが抑制され、屋根の断熱性を向上させることができる。また、断熱層４の上に上側の野地５が配置されており、断熱層４と上側の野地５との間をあけることを要さないため、施工を容易にすることができる。以上により、上記形態によれば、簡単に施工でき、結露の防止が可能で、断熱性の高い屋根の棟構造を得ることができる。
【００１３】
以下、まず、図１及び図２に示す第１実施形態を代表例として屋根の棟構造を説明し、その後、第２実施形態及び変形例を説明する。しかしながら、屋根の棟構造は、これらの形態に限定されるものではない。以下、便宜上、下側の野地２を下野地２ともいい、上側の野地５を上野地５ともいう。
【００１４】
なお、以下の説明において、図１及び図５における棟の「左右」を説明の便宜上、位置関係を分かりやすくするために用いる。同種の部材の位置関係においては、棟を中心として「左右」が用いられる。この位置関係は便宜上のものであるため、「左の」を「第１の」とし、「右の」を「第２の」として置き換えてもよい。
【００１５】
（第１実施形態）
下側の野地２（下野地２）は、複数の野地板２ａから形成され得る。棟１においては、棟１の左側と右側に、それぞれ野地板２ａが配置される。屋根の傾斜面においては、複数の野地板２ａが面状に敷き詰められる。野地板２ａは、矩形状（正方形を含む）であってよい。野地板２ａは、たとえば木製の板で形成される。
【００１６】
上側の野地５（上野地５）は、複数の野地板５ａから形成され得る。棟１においては、棟１の左側と右側に、それぞれ野地板５ａが配置される。屋根の傾斜面においては、複数の野地板５ａが面状に敷き詰められる。野地板５ａは、矩形状（正方形を含む）であってよい。野地板５ａは、たとえば木製の板で形成される。
【００１７】
断熱層４は、上側の野地５と下側の野地２との間にある。断熱層４により、屋根の断熱性が高まる。断熱層４は、少なくとも屋根の傾斜部分では、断熱材４０によって形成される。断熱材４０は、繊維、発泡樹脂などで形成される。断熱材４０は、パネル状である。断熱材４０は、下野地２の上に載っている。下野地２は、断熱材４０を支持している。棟１においては、棟１の左側と右側に、それぞれ断熱材４０が配置される。屋根の傾斜面においては、複数の断熱材４０が面状に敷き詰められる。断熱材４０の平面形状は、矩形状（正方形を含む）であってよい。
【００１８】
断熱層４は下野地２の上に配置され、断熱層４の上に上野地５が配置される。上野地５と断熱層４とは接している。上野地５は、断熱層４に載っている。上野地５と断熱層４との間には、一体的な空気の層がない。そのため、上野地５と断熱層４との間をあけて施工することを要さなくなり、施工が容易になる。
【００１９】
断熱層４と下野地２との間には、防湿シート３が設けられてもよい。防湿シート３は、下野地２の上で敷き詰められる。防湿シート３は、隙間なく下野地２を覆うことが好ましい。防湿シート３の端部が重ねられてもよい。防湿シート３は、棟１を跨っていてもよい。防湿シート３によって、屋根の防湿性が高まる。
【００２０】
上野地５の上には、防水性を確保すべくルーフィング７が配置されることが好ましい。それにより、屋根材の取り付けも容易になる。また、ルーフィング７により、屋根の耐久性が向上する。
【００２１】
図１では、屋根の下地となる構造を示しており、屋根においては、屋根材がルーフィング７の上に配置される。屋根材は瓦であってよい。屋根の傾斜面では、たとえば、平板状の瓦が敷設される。棟１では、たとえば、左右の屋根面の瓦との接続を行う棟瓦が配置される。
【００２２】
図２で示すように、断熱層４の上面には、各々軒棟方向に直線状に伸びる複数の通気溝４１が棟１と平行な方向に間隔をあけて複数設けられている。通気溝４１は、断熱材４０の上面に設けられている。屋根の傾斜面において複数の断熱材４０が軒棟方向で連続して配置される場合、通気溝４１は、軒棟方向で連結することが好ましい。それにより、通気溝４１が屋根の軒棟方向全体にわたって設けられるため、通気性が向上する。
【００２３】
通気溝４１は、棟１にある通気路６と繋がる。通気路６は、断熱層４と上側の野地５との間の隙間で形成される。通気路６は、棟１に沿って伸びる空間である。通気溝４１が通気路６と連通することにより、湿気（水分を含む空気）は、通気溝４１内を上昇して棟１の通気路６に入り、外部に排出される。そのため、屋根内部の水分を逃がすことができ、結露を防止することができる。
【００２４】
図１で示すように、本形態では、断熱材４０の端部は、断熱材４０の表面と垂直な側面４０ａを有する。棟１では、屋根の傾斜が変わるため、左側に配置される断熱材４０と右側に配置される断熱材４０との間に隙間が設けられる。一方の断熱材４０の側面４０ａと、他方の断熱材４０の側面４０ａとは離れており、棟１を挟んで隣り合う断熱材４０は、接触していないか、あるいは少なくとも面接触していない。そして、本形態では、棟１において隣り合う断熱材４０の棟１側の端部の間に断熱性の充填材４２が配置されている。通気路６は、充填材４２と上野地５との間の隙間で形成されている。
【００２５】
本形態では、断熱層４は、断熱材４０と断熱性の充填材４２とを含む。棟１での断熱層４の連続性は、左右の断熱材４０と充填材４２とが層状に連続することによって得られている。充填材４２があることにより、断熱層４は、棟１において連続しており、そのため棟１で断熱性が低下しない。それにより、屋根の断熱性を向上させることができる。また、断熱材４０の間に充填材４２を充填することにより簡単に棟１の断熱層４を形成することができるため、施工を容易に行うことができる。
【００２６】
充填材４２は、棟１が伸びる方向にわたって棟１に設けられる。充填材４２は、本形態では、断面三角形形状である。ただし、充填材４２の断面形状はこれに限らない。充填材４２は、上部が盛り上がっていてもよい。あるいは、充填材４２は、上部が凹んでいてもよい。たとえば、充填材４２の上面が、上方に湾曲する円弧状や、下方に湾曲する円弧状になっていてもよい。
【００２７】
充填材４２は、通気溝４１を塞がないように設けられる。充填材４２の上面は、通気溝４１の底面と同じかそれよりも低い位置にあってもよい。
【００２８】
充填材４２は、流動性を有する材料から形成されることが好ましい一態様である。流動性の材料は、硬化し、断熱性を発揮する。たとえば、流動性の材料は、樹脂により形成される。樹脂は、発泡性樹脂であってもよい。流動性の材料を用いる場合、簡単に密封性高く断熱材４０の隙間を充填材４２で埋めることができる。
【００２９】
充填材４２は、固体の部材で形成されることが好ましい他の一態様である。たとえば、充填材４２は、断熱材４０の隙間の形状に対応した三角柱状の固体の断熱部材であってよい。その場合、断熱部材を置くだけで簡単に充填材４２を断熱材４０の隙間に配置することができる。この態様では、充填材４２（断熱部材）は、断熱材４０を切断して得た断熱材４０の一部から形成されてもよい。それにより、断熱性を向上させることができる。また、さらに、充填材４２は、前記の固体の断熱部材と、この固体の断熱部材と断熱材４０との隙間を埋める断熱性の充填性材料とを含むものであってもよい。この場合、断熱性と密封性とがさらに向上する。
【００３０】
本形態の屋根の棟構造は、概略、次のように形成することができる。まず、野地板２ａを左右両方の屋根面に設置して、下野地２を形成する。野地板２ａは、たとえば垂木の上に配置される。野地板２ａは、釘などの固着具で固着されてもよい。次に、左右両方の下野地２の上に、断熱材４０を配置する。このとき、断熱材４０と下野地２との間に、防湿シート３を配置してもよい。断熱材４０は、屋根の寸法に合わせて適宜切断されてもよい。そして、棟１においてできた左右の断熱材４０の隙間に、充填材４２を充填する。充填材４２が流動性材料の場合、流動性材料を隙間に流し込む。この場合、流動性材料は、時間の経過により硬化し、断熱性の充填材４２として機能する。なお、流動性材料を左右一対の断熱材４０の間に流し込む際には、流動性材料硬化後の充填材４２が各通気溝４１の棟１側端部を塞がないように、その流し込む量を調整する必要がある。一方、充填材４２が固体の断熱部材の場合、隣り合う断熱材４０の隙間に置くことで充填材４２の配置を行うことができる。固体の断熱部材は、断熱材４０の切れ端を利用して形成されるものであってもよい。その場合、廃材を少なくすることができる。これにより断熱層４が形成される。断熱層４の形成の後、断熱材４０の上に野地板５ａを設置して、上野地５を形成する。野地板５ａは、釘などの固着具で固着することができる。そして、ルーフィング７を上野地５の上に設置する。これにより、図１の状態の屋根の棟構造が形成される。図１の状態の屋根の棟構造に、屋根材（瓦）が配置されることで、屋根が完成する。
【００３１】
図３は、屋根の棟構造の第１比較例である。上記の形態と同じ構成については同じ符号を付している。
【００３２】
図３の屋根の棟構造では、充填材４２が上野地５と断熱材４０とでできた隙間全体を埋めており、棟１において断熱層４と上野地５との間に隙間がなくなっている。そのため、棟１には通気路が形成されていない。さらに、充填材４２は通気溝４１を塞いでいる。図３では、断熱性の充填材４２により断熱性が高まるものの、通気が十分に行えないため、水分が屋根の内部に留まってしまう。そのため、第１比較例の屋根の棟構造は、結露を十分に防止できない。
【００３３】
一方、本形態では、図１に示すように、通気路６が、充填材４２の上面と上野地５との隙間によって形成されている。そして、通気溝４１の空間と、通気路６の空間とが連通し、さらに、この通気路６が外部と連通している。そのため、図２の太矢印で示すように、棟１に向かって流れる湿気を通気溝４１から棟１の通気路６に流して外部に排出することができる。そのため、屋根の結露を防止することができる。
【００３４】
図１及び図２では、屋根の棟構造を平棟に適用したが、屋根の棟構造は隅棟にも適用することができる。平棟は、地表面に対して平行に伸びる棟である。隅棟は、地表面に対して傾斜して伸びる棟である。平棟は、屋根の最上部に配置され得る。隅棟は、家屋の角部の上方に配置され得る。
【００３５】
図４は、第１実施形態の変形例であり、屋根の棟構造を隅棟に適用した例である。図４では、図２と同様に、上野地５の一部を取り除いた状態で屋根の棟構造を示している。図４の屋根の棟構造においても、左右の屋根面の傾斜が変化する棟１において、通気路６が設けられている。棟１においては、左右で隣り合う断熱材４０の隙間に、断熱性の充填材４２が配置されている。通気路６は、上野地５と断熱層４との間の隙間で形成されている。
【００３６】
図４の屋根の棟構造においても、通気溝４１を通った湿気は、通気路６を通して外部に排出される。そのため、屋根の内部に水分が留まることが抑制され、結露を防止することができる。
【００３７】
（第２実施形態）
図５及び図６は、屋根の棟構造の第２実施形態を示している。図５及び図６では、上記で説明した構成と同様の構成については、同じ符号を付し、説明を省略する。
【００３８】
第２実施形態では、棟１において隣り合う断熱材４０の端部は、鉛直面４０ｐを有している。また、棟１において隣り合う断熱材４０の端部は、鉛直面４０ｐと交差する上端面４０ｑを有している。また、棟１において隣り合う断熱材４０は、鉛直面４０ｐで接している。そして、通気路６は、断熱材４０の上端面４０ｑと上野地５との間に配置されている。
【００３９】
本形態では、棟１での断熱層４の連続性は、断熱材４０の突き合せによって得られている。断熱材４０は面接触していてよい。断熱層４は、棟１において連続しており、棟１で断熱性が低下しない。そのため、屋根の断熱性を向上させることができる。また、断熱材４０の突き合せにより簡単に棟１の断熱層４を形成することができるため、施工を容易に行うことができる。
【００４０】
断熱材４０の鉛直面４０ｐは、地表面に対して垂直な面であってよい。断熱材４０の表面と鉛直面４０ｐとの角度は、屋根の勾配に依存する。断熱材４０の上端面４０ｑは、鉛直面４０ｐと面が交差する関係にあり、本形態では、上端面４０ｑは鉛直面４０ｐに垂直である。ここで、面の交差とは、２つの面を仮想的に延長したときにこれらが交わる関係にあることを意味する。上端面４０ｑは、断熱材４０の表面（上面）と鉛直面４０ｐとの間に設けられる。断熱材４０の棟１側の端部は、上端面４０ｑと鉛直面４０ｐとで側面が形成される。断熱材４０が施工されたときには、上端面４０ｑは、断熱材４０の端部に設けられた上面となる。平棟の場合、上端面４０ｑは、地表面に対して平行であってよい。上端面４０ｑが設けられることにより、通気路６が容易に形成される。上端面４０ｑの横方向の長さは、鉛直面４０ｐの縦方向の長さよりも大きくてもよい。それにより、通気路６の断面積が大きくなり、通気性が向上する。
【００４１】
本形態の屋根の棟構造は、上記第１実施形態の形成方法に準じて、概略、次のように形成することができる。まず、断熱材４０に、あらかじめ端部加工を施し、鉛直面４０ｐと上端面４０ｑとを形成する。鉛直面４０ｐ及び上端面４０ｑは、断熱材４０の端部の切断加工で形成される。具体的には、鉛直面４０ｐ及び上端面４０ｑは、断熱材４０の角を切り落とすことで形成され得る。そして、左右両方の下野地２の上に、断熱材４０を配置する。棟１において隣り合う断熱材４０は、鉛直面４０ｐで付き合わされる。これにより断熱層４が形成される。充填材は使用しなくてよい。このように、断熱層の形成以外は、第１実施形態と同様にして、第２実施形態の屋根の棟構造を形成することができる。
【００４２】
図７は、屋根の棟構造の第２比較例である。上記の形態と同じ構成については同じ符号を付している。
【００４３】
図７の屋根の棟構造では、棟１において隣り合う断熱材４０が鉛直面４０ｐのみを有しており、上述した上端面を有していない。断熱材４０は、鉛直面４０ｐで突き合わされている。そして、断熱材４０と上野地５とが棟１の内部で接しており、棟１において断熱層４と上野地５との間に隙間がなくなっている。そのため、棟１に沿った通気路が形成されていない。左右の通気溝４１は棟１で左右に連続するものの、屈曲しており、棟１に沿ったものでないため、空気の逃げ道がなく、通気性が確保できない。そのため、図７の屋根の棟構造では、棟１において通気を行うことができず、湿気を逃がすことができない。図７では、断熱材４０が接触することにより断熱性が高まるものの、通気が十分に行えないため、水分が屋根の内部に留まってしまう。そのため、第２比較例の屋根の棟構造は、結露を十分に防止できない。
【００４４】
一方、本形態では、図５に示すように、通気路６が、断熱材４０の上端面４０ｑと上野地５との隙間によって形成されている。そして、通気溝４１の空間と、通気路６の空間とが連通している。そのため、図６の太矢印で示すように、棟１に向かって流れる湿気を通気溝４１から棟１の通気路６に流して外部に排出することができる。そのため、屋根の結露を防止することができる。
【００４５】
図５及び図６では、屋根の棟構造を平棟に適用したが、屋根の棟構造は隅棟にも適用することができる。
【００４６】
図８は、第２実施形態の変形例であり、屋根の棟構造を隅棟に適用した例である。図８では、図６と同様に、上野地５の一部を取り除いた状態で屋根の棟構造を示している。図８の屋根の棟構造においても、左右の屋根面の傾斜が変化する棟１において、通気路６が設けられている。棟１においては、左右で隣り合う断熱材４０が鉛直面４０ｐで接しており、断熱材４０の端部には上端面４０ｑが設けられている。通気路６は、上野地５と断熱材４０の上端面４０ｑとの間の隙間で形成されている。なお、図８の形態では、上端面４０ｑは、地表面と平行ではなく、屋根の勾配に沿った面となっている。
【００４７】
図８の屋根の棟構造においても、通気溝４１を通った湿気は、通気路６を通して外部に排出される。そのため、屋根の内部に水分が留まることが抑制され、結露を防止することができる。
【００４８】
なお、第２実施形態の具体例では、上端面４０ｑは、鉛直面４０ｐに垂直に形成されているが、これに限定されず、上端面４０ｑと上野地５との間に通気路６が形成されていればよく、そのために上端面４０ｑと鉛直面４０ｐとが交差していればよい。たとえば、上端面４０ｑと鉛直面４０ｐとのなす角が鋭角であってもよいし、鈍角であってもよい。
【００４９】
上述のように、第１実施形態と第２実施形態とは、いずれも、棟１において断熱層４が連続しているため、断熱性が高く、通気路６が設けられているため、結露を防止することができる。
【００５０】
第１実施形態では、断熱材４０は、端部の側面４０ａが表面と垂直な面であるので、断熱材４０の端部加工の手間がかからず、施工効率を向上することができる点で有利である。特に、充填材４２を断熱材４０の隙間に配置することで、断熱層４を形成するとともに通気路６のための隙間を確保することができるため、容易に施工を行うことができる。
【００５１】
一方、第２実施形態では、充填材を要することなく、断熱材４０の突き合せによって簡単に棟１の断熱構造を形成することができる点で有利である。特に、棟１において断熱材４０で下野地２を覆うことができるため、断熱性を向上することができる。
【００５２】
以上で述べたように、本開示の屋根の棟構造は、下側の野地２と、上側の野地５と、下側の野地２と上側の野地５との間に配置され、上側の野地５に接する断熱層４とを備えている。断熱層４は、棟１で連続している。断熱層４は、軒棟方向に伸びる通気溝４１を上面に有している。棟１における上側の野地５と断熱層４との間に、棟１に沿って伸び、通気溝４１と連通する通気路６が設けられている。本開示によれば、簡単に施工でき、結露の防止が可能で、断熱性の高い屋根の棟構造を得ることができる。
【００５３】
本開示の屋根の棟構造では、好ましくは、断熱層４は、複数の断熱材４０を含み、断熱材４０は、棟１の両側に配置される。
【００５４】
本開示の屋根の棟構造の好ましい第１の態様では、棟１において隣り合う一対の断熱材４０の間に断熱性の充填材４２が配置されている。そして、通気路６は、充填材４２と上側の野地５との間に形成されている。この場合、簡単に通気路６を形成することができる。
【００５５】
本開示の屋根の棟構造の好ましい第２の態様では、棟１において隣り合う一対の断熱材４０の端部は、鉛直面４０ｐと、鉛直面４０ｐと交差する上端面４０ｑとが形成されており、棟１において隣り合う一対の断熱材４０は、鉛直面４０ｐ同士で接している。そして、通気路６は、断熱材４０の上端面４０ｑと上側の野地５との間に形成されている。この場合、簡単に通気路６を形成することができる。
【符号の説明】
【００５６】
１      棟
２      下側の野地（下野地）
４      断熱層
５      上側の野地（上野地）
６      通気路
４０    断熱材
４０ｐ  鉛直面
４０ｑ  上端面
４１    通気溝
４２    充填材
【図１】
0006560525.tif 000002
【図２】
0006560525.tif 000003
【図３】
0006560525.tif 000004
【図４】
0006560525.tif 000005
【図５】
0006560525.tif 000006
【図６】
0006560525.tif 000007
【図７】
0006560525.tif 000008
【図８】
0006560525.tif 000009